(57)【要約】      （修正有）【課題】枕を干す作業を容易に行うことができるハンモック状枕干し具を提供する。【解決手段】枕を受ける網状体１と、網状体の両縁部に取り付けられるホルダー２と、ホルダーに対して回動可能に取り付けられたフック３とを備える。フックをそれぞれ物干し竿に引っ掛けてハンモック状に形成されることを特徴とし、枕を干す作業を容易にする。ホルダー２は、外周部の一端部に雄ねじ４ａが形成された内筒体４と、内周部の一端部に雌ねじ５ａが形成され、他端部に底部５ｂを有する外筒体５とからなる。外筒体の底部５ｂにフック３が回動可能に取り付けられる。内筒体の一端部と外筒体の底部との間で網状体１の縁部が挟まれた状態で、内筒体が外筒体の内部にねじ結合により嵌め合わされる。【選択図】図２
0003186357.tif 000002
【実用新案登録請求の範囲】
【請求項１】
枕をのせる網状体と、その網状体の両縁部に取り付けられるホルダーと、そのホルダーに対して回動可能に取り付けられたフックとを備え、そのフックをそれぞれ物干し竿に引っ掛けてハンモック状に形成されるハンモック状枕干し具であって、
前記ホルダーは、外周部の一端側に雄ねじが形成された内筒体と、内周部の一端側に雌ねじが形成され、他端部に底部を有する外筒体とからなり、前記内筒体は、他端側の筒部の外径が雄ねじの外径よりも小さく形成され、前記外筒体の底部に前記フックが回動可能に取り付けられ、前記内筒体の他端部と前記外筒体の底部との間で前記網状体の縁部が挟まれた状態で、前記内筒体が外筒体の内部にねじ結合により嵌め合わされたハンモック状枕干し具。
【請求項２】
前記内筒体の外周部及び前記外筒体の内周部に、前記網状体が係止可能な係止爪が形成された請求項１に記載のハンモック状枕干し具。
【考案の詳細な説明】
【技術分野】
【０００１】
この考案は、枕をのせる網状体と、その網状体の両縁部に取り付けられるホルダーと、そのホルダーに回動可能に取り付けられたフックとを備え、物干し竿にフックを引っ掛けて、網状体の上に枕をのせて使用されるハンモック状枕干し具に関する。
【背景技術】
【０００２】
従来から、枕を干す際に使用される枕干し具としては、例えば、枕を包み込むのに十分な大きさに形成した網状体と、その網状体の上端部に設けた吊り下げフックと、網状体の下端両隅部に取り付けられたフックとからなるものが知られている（例えば、特開平２−４６８９２号公報参照）。
【０００３】
この枕干し具は、網状体で枕を包み込み、網状体の下端両隅部のフックを網状体の上部に係止して枕を固定し、網状体の上端部の吊り下げフックを物干し竿に引っ掛けて吊すようにしたものである。
【考案の概要】
【考案が解決しようとする課題】
【０００４】
しかしながら、上記枕干し具は、網状体で枕を包み込むためにフックを網状体の上部に係止し、また、包み込まれた枕を吊り下げフックにより物干し竿に引っ掛けて吊り下げる必要があり、これらの作業が煩わしく、手間の掛かるものであった。
【０００５】
そこで、この考案の課題は、枕を干す作業を容易に行うことができるハンモック状枕干し具を提供することにある。
【課題を解決するための手段】
【０００６】
上記の課題を解決するために、枕をのせる網状体と、その網状体の両縁部に取り付けられるホルダーと、そのホルダーに対して回動可能に取り付けられたフックとを備え、そのフックをそれぞれ物干し竿に引っ掛けてハンモック状に形成されるハンモック状枕干し具であって、前記ホルダーは、外周部の一端側に雄ねじが形成された内筒体と、内周部の一端側に雌ねじが形成され、他端部に底部を有する外筒体とからなり、前記内筒体は、他端側の筒部の外径が雄ねじの外径よりも小さく形成され、前記外筒体の底部に前記フックが回動可能に取り付けられ、前記内筒体の他端部と前記外筒体の底部との間で前記網状体の縁部が挟まれた状態で、前記内筒体が外筒体の内部にねじ結合により嵌め合わされた構成を採用することができる。
【０００７】
この構成によると、網状体の両縁部に取り付けられたホルダーのフックを物干し竿に引っ掛け、網状体を開いて、ハンモックのように枕をのせることにより、枕を干すことができるので、枕を干す作業が容易となる。
【０００８】
また、前記内筒体の外周部及び前記外筒体の内周部に、前記網状体が係止可能な係止爪が形成された構成を採用することができる。
【０００９】
前記内筒体の一端部と前記外筒体の底部との間で前記網状体の縁部が挟まれた状態で、内筒体及び外筒体の係止爪に網状体の部を引っ掛けると、使用時において、網状体に枕がのったとき網状体に掛かる荷重を係止爪で受けることができ、網状体がホルダーから抜け出ることをより確実に防止することができる。
【考案の効果】
【００１０】
以上のように、この考案は、網状体の両縁部に取り付けられたホルダーのフックを物干し竿に引っ掛け、網状体に枕をのせることにより、枕を干すことができるので、容易に枕を干すことができる。また、一般に頭部がのる枕の中央部分を上方に向けて干すことが可能となり、その中央部分に太陽光を十分に当てることで、衛生的となる。
【図面の簡単な説明】
【００１１】
【図１】この考案に係るハンモック状枕干し具の実施形態を示す正面図
【図２】同上のハンモック状枕干し具の一部切り欠き分解斜視図
【図３】同上のハンモック状枕干し具のホルダーの一部切欠拡大断面図
【図４】同上のハンモック状枕干し具の使用状態を示す縦断面図
【考案を実施するための形態】
【００１２】
以下、この考案に係るハンモック状枕干し具の実施形態を図１〜４に示す。
このハンモック状枕干し具は、図１に示すように、枕１０を受ける網状体１と、その網状体１の両縁部に取り付けられるホルダー２と、そのホルダー２に対して回動可能に取り付けられたフック３とを備えている。
【００１３】
枕１０を受ける網状体は、ポリエステル系繊維、ナイロン系繊維などの合成繊維からなる糸を網状に編んだものである。網状体１は広げた状態で矩形をなしており、その対向する両側辺の縁部をそれぞれ束ねた状態でホルダー２により保持される。
【００１４】
網状体１の縁部を保持するホルダー２は、図２、３に示すように、内筒体４と、その内筒体４が内部に嵌り合う外筒体５とからなる。内筒体４は、合成樹脂製であり、外周部の一端側に雄ねじ４ａが形成され、他端側の筒部４ｂの外径が一端側の雄ねじ４ａの外径よりも小さく形成されている。
【００１５】
筒部４ｂに、他端縁から一端縁へ向かって延びるスリット４ｃが周方向に複数形成されている。また、筒部４ｂの外周部には、径方向外向きに突出する係止爪４ｄが周方向及び内筒体４の軸方向に複数形成されている。
【００１６】
各係止爪４ｄは、内筒体４の一端側から他端側に向かって突出高さが小さくなるように傾斜し、内筒体４と外筒体５との間に位置する網状体１を係止可能となっている（図３参照）。なお、係止爪４ｄは、筒部４ｂの外周部に形成しなくてもよい。
【００１７】
外筒体５は、合成樹脂製であり、一端側の内周部に雌ねじ５ａが形成され、他端部に底部５ｂを有している。雌ねじ５ａと底部５ｂとの間の内周面に、径方向内向きに突出する係止爪５ｅが周方向に複数形成される。各係止爪５ｅは、外筒体５の一端側から他端側に向かって突出高さが小さくなるように傾斜し、内筒体４と外筒体５との間に位置する網状体１を係止可能となっている（図３参照）。なお、係止爪５ｅは、外筒体５の外周部に形成しなくてもよい。
【００１８】
雌ねじ５ａは、内筒体４の雄ねじ４ａが締め込み可能となっており、底部５ｂの中央に一端側に向かって延びるガイド筒部５ｃが形成される。ガイド筒部５ｃは、底部５ｂから先端部に向かって内径が次第に小さくなるように傾斜している。また、ガイド筒部５ｃは、その先端部から底部５ｂに向かうスリット５ｄが周方向に複数形成されている。各スリット５ｄによりガイド筒部５ｃは、径方向に弾性変形可能となる。
【００１９】
ホルダー２に回転可能に取り付けられるフック３は、軸部６と、軸部６の他端に一体に形成された鉤状部７と、鉤状部７の開口部を開閉可能とする閉止片８と、閉止片８と一体に形成され、閉止片８を開閉するレバー９とを備える。
【００２０】
軸部６の他端部に半球状の係止体６ａが一体に形成され、係止体６ａの半球面が軸部６の一端側に向かって配置されている。係止体６ａは、外筒体５のガイド筒部５ｃ内に、これを径方向外向きに弾性変形させながら差し込まれる。
【００２１】
ガイド筒部５ｃに係止体６ａが完全に差し込まれると、ガイド筒部５ｃは弾性変形から径方向内向きに復元して、ガイド筒部５ｃの先端部が係止体６ａの平面部分に係止する。これにより、フック３の軸部６がホルダー２の外筒体５に対して回転可能に保持される。
【００２２】
軸部６の他端部には、その軸部６に対して直交する向きに突出する連結軸８ａが形成され、連結軸８ａを回転軸として、軸部６に閉止片８及びレバー９が回動可能に連結されている。閉止片８は、鉤状部７の開口部に対して開閉可能に取り付けられている。また、閉止片８は、連結軸８ａに取り付けられたつるまきバネ９ａの弾性により、鉤状部７の開口部を閉める向きに付勢されている。
【００２３】
レバー９は、閉止片８に対して一体に形成され、レバー９がつるまきバネ９ａの弾性に抗して軸部６側に接近されると、閉止片８が回動して、鉤状部７の開口部が開くようになっている。
【００２４】
以上のように、ハンモック状枕干し具は構成され、その組立方法を説明する。
まず、網状体１の対向する両側の縁部のうち、一方のものを束ねてホルダー２の内筒体４の内部に雄ねじ４ａ側から通す。そして、内筒体４内を通った網状体１の縁部を雄ねじ４ａに向かって筒部４ｂを覆うように折り返す。
【００２５】
この状態で、内筒体４の外側から外筒体５をねじ結合により嵌め合わせることにより、網状体１の縁部が筒部４ｂの先端部と外筒体５の底部５ｂとの間に挟まれ、網状体１の縁部がホルダー２により抜け止めされる。また、使用時において、内筒体４及び外筒体５の係止爪４ｄ、５ｅが網状体１の縁部に引っ掛かることにより、網状体１に掛かる荷重を受けることができ、網状体１がホルダー２から抜け出ることを確実に防止することができる。
【００２６】
続いて、外筒体５の底部５ｂに形成されたガイド筒部５ｃ内に、フック３の軸部６の係止体６ａを差し込んで、ガイド筒部５ｃの先端部を係止体６ａの平面部分に係止させる。これにより、フック３をホルダー２に回転可能に取り付ける。また、網状体１の対向する両側の縁部のうち、他方のものも同様にして、内筒体４及び外筒体５により抜け止めして、フック３をホルダー２に回転可能に取り付ける。
【００２７】
このように組み立てられたハンモック状枕干し具は、一方のフック３のレバー９を操作して鉤状部７の開口部を開き、物干し竿１１にフック３の鉤状部７を引っ掛ける。他方のフック３の鉤状部７も同様にして物干し竿１１に引っ掛ける。
【００２８】
この状態で、網状体１を開いて、ハンモックのように枕１０をのせる。このとき、枕１０は、図４に示すように、その上面が網状体１に覆われることがなく、太陽光を十分に当てることができるので、衛生的に干すことが可能となる。
【符号の説明】
【００２９】
１  網状体
２  ホルダー
３  フック
４  内筒体
４ａ  雄ねじ
４ｂ  筒部
４ｃ  スリット
４ｄ  係止爪
５  外筒体
５ａ  雌ねじ
５ｂ  底部
５ｃ  ガイド筒部
５ｄ  スリット
５ｅ  係止爪
６  軸部
６ａ  係止体
７  鉤状部
８  閉止片
８ａ  連結軸
９  レバー
９ａ  つるまきバネ
１０  枕
１１  物干し竿
【図１】
0003186357.tif 000003
【図２】
0003186357.tif 000004
【図３】
0003186357.tif 000005
【図４】
0003186357.tif 000006